(57)【要約】【課題】  音楽データのダウンロードや入力等、煩雑な操作を不要としつつ、ユーザが着信メロディーのバリエーションを楽しめるようにした携帯電話機を提供する。【解決手段】  携帯電話機１において、メール関連データ記憶部１０１は、アンテナ１０を介して受信されるメール又はメールに付随して受信される関連情報に含まれるデータを取得して記憶し、サウンドデータ作成部１２３は、サウンド情報記憶部１２４に記憶されたサウンド情報を用いてメール又は関連情報に含まれるデータから楽曲データを自動作曲し、サウンドジェネレータ１２７がその楽曲データを再生する。【選択図】          図１
2005065073.tif 000002
【特許請求の範囲】
【請求項１】
メールに含まれるデータ、又はメールに付随して受信される関連情報に含まれるデータを取得する取得手段と、
前記取得手段により取得されたデータを反映した楽曲データを作成し、再生する作成手段と
を備えることを特徴とする携帯電話機。
【請求項２】
前記取得手段は、前記メールに含まれる文字データを取得し、
前記作成手段は、
文字データと音データとを対応させたテーブルを記憶するテーブル記憶手段と、
取得手段により取得される文字データに対応する音データを前記テーブル記憶手段より読み出して、当該読み出された音データを用いて前記楽曲データを作成する楽曲データ作成手段と
を備えることを特徴とする請求項１に記載の携帯電話機。
【請求項３】
前記取得手段は、メール受信時における前記携帯電話機の位置を示す位置情報を前記関連情報として取得し、
前記作成手段は、
位置情報と音データとを対応させたテーブルを記憶するテーブル記憶手段と、
前記取得手段により取得された位置情報に対応する音データを前記テーブル記憶手段より読み出して、読み出された音データを用いて楽曲データを作成する楽曲データ作成手段と
を備えることを特徴とする請求項１に記載の携帯電話機。
【請求項４】
前記取得手段は、メールの発信源を示す位置情報を前記関連情報として取得し、
前記作成手段は、
位置情報と音データとを対応させたテーブルを記憶するテーブル記憶手段と、
前記取得手段により取得された位置情報に対応する音データを前記テーブル記憶手段より読み出して、読み出された音データを用いて楽曲データを作成する楽曲データ作成手段と
を備えることを特徴とする請求項１に記載の携帯電話機。
【請求項５】
前記取得手段は、前記メールに含まれる文字列を構成する文字データを取得し、
前記作成手段は、
特定の文字列を構成する文字データと音データとを対応させて記憶するテーブル記憶手段と、
前記取得手段により取得される文字列を構成する文字データの中から前記テーブル記憶手段に記憶される特定の文字列を構成する文字データを検索する検索手段と、
前記検索手段により検索された特定の文字列を構成する文字データに対応する音データを前記テーブル記憶手段より読み出して、読み出された音データを用いて楽曲データを作成する楽曲データ作成手段と
を備えることを特徴とする請求項１に記載の携帯電話機。
【請求項６】
前記作成手段による楽曲データの再生のタイミングはメール受信時であることを特徴とする請求項１〜５のいずれかに記載の携帯電話機。
【請求項７】
前記作成手段による楽曲データの再生のタイミングはメール開封時であることを特徴とする請求項１〜６のいずれかに記載の携帯電話機。
【請求項８】
携帯電話機において楽曲データを作成するための方法であって、
メールに含まれるデータ又はメールに付随して受信される関連情報に含まれるデータを取得する取得ステップと、
前記取得ステップにより取得されたデータを用いて楽曲データを作成し、再生する作成ステップと
を含むことを特徴とする方法。
【請求項９】
携帯電話機に、
メールに含まれるデータ又はメールに付随して受信される関連情報に含まれるデータを取得する取得ステップと、
前記取得ステップにより取得されたデータを用いて楽曲データを作成し、再生する作成ステップと
を実行させることを特徴とするプログラム。
【発明の詳細な説明】
【技術分野】
【０００１】
本発明は、携帯電話機に備えられた着信メロディー機能の改良技術に関する。
【背景技術】
【０００２】
近年、携帯電話機は、着信メロディーに関する様々な機能を備えるようになった。
【０００３】
例えば、発信者の情報と着信メロディーとの対応を予め記憶し、着信時に発信者に応じた着信メロディーを再生する機能（特許文献１参照）や、ダウンロードした音楽データを着信メロディーとして用いる機能（特許文献２参照）や、ユーザが音楽データを携帯電話機に入力して着信メロディーに利用する機能（特許文献３参照）等である。
【特許文献１】特開２００２−１７６６７９号公報
【特許文献２】特開２００１−１８６２２３号公報
【特許文献３】特開２００１−０７７８８４号公報
【発明の開示】
【発明が解決しようとする課題】
【０００４】
しかしながら上記従来技術においては、着信メロディーを発信者毎に割り当てる設定操作を行ったり、ダウンロード操作を行ったり、音楽データを入力したりと、ユーザは、着信メロディーに関する煩雑な操作を行わなければならないという問題がある。
【０００５】
よって本発明は、上記のような着信メロディーに関する煩雑な操作を不要とした携帯電話機を提供することを目的とする。
【課題を解決するための手段】
【０００６】
上記問題を解決するため、本発明の携帯電話機は、メールに含まれるデータ又はメールに付随して受信される関連情報に含まれるデータを取得する取得手段と、前記取得手段により取得されたデータを用いて楽曲データを作成し、再生する作成手段とを備える。
【発明の効果】
【０００７】
この構成によれば、ユーザは、着信メロディーの変更や入力、ダウンロード等の煩雑な操作を行わなくても、メール受信の度に受信されたデータを用いて作曲された様々な着信メロディーを楽しむことができるという効果がある。
【０００８】
また前記取得手段は、前記メールに含まれる文字データを取得し、前記作成手段は、文字データと音データとを対応させたテーブルを記憶するテーブル記憶手段と、取得手段により取得される文字データに対応する音データを前記テーブル記憶手段より読み出して、当該読み出された音データを用いて前記楽曲データを作成する楽曲データ作成手段とを備える。この構成によれば、内容の異なるメール毎に作成される楽曲データも異なることになり、上記と同様の効果がある。
【０００９】
また前記取得手段は、メール受信時における前記携帯電話機の位置を示す位置情報を前記関連情報として取得し、前記作成手段は、位置情報と音データとを対応させたテーブルを記憶するテーブル記憶手段と、前記取得手段により取得された位置情報に対応する音データを前記テーブル記憶手段より読み出して、読み出された音データを用いて楽曲データを作成する楽曲データ作成手段とを備える。
【００１０】
この構成によれば、本発明の携帯電話機は、携帯電話機の位置に応じて異なる楽曲データを作曲することができ、上記と同様の効果がある。またこの構成を利用して、楽曲データ作成手段に、位置情報の地域に合せた音楽スタイルの楽曲を作曲させるようにすることもできる。
【００１１】
また前記取得手段は、メールの発信源を示す位置情報を前記関連情報として取得し、前記作成手段は、位置情報と音データとを対応させたテーブルを記憶するテーブル記憶手段と、前記取得手段により取得された位置情報に対応する音データを前記テーブル記憶手段より読み出して、読み出された音データを用いて楽曲データを作成する楽曲データ作成手段と備えてもよい。
【００１２】
この構成によれば、本発明の携帯電話機は、発信源の位置に応じて異なる楽曲データを作曲することができ、上記と同様の効果がある。またこの構成を利用して、楽曲データ作成手段に、位置情報の地域に合せた音楽スタイルの楽曲を作曲させるようにすることもできる。
【００１３】
また前記取得手段は、前記メールに含まれる文字列を構成する文字データを取得し、前記作成手段は、特定の文字列を構成する文字データと音データとを対応させて記憶するテーブル記憶手段と、前記取得手段により取得される文字列を構成する文字データの中から前記テーブル記憶手段に記憶される特定の文字列を構成する文字データを検索する検索手段と、前記検索手段により検索された特定の文字列を構成する文字データに対応する音データを前記テーブル記憶手段より読み出して、読み出された音データを用いて楽曲データを作成する楽曲データ作成手段とを備える。
【００１４】
この構成によれば、携帯電話機は、メールに含まれる文字列に応じた楽曲データを作曲することができ、上記と同様の効果がある。またこの構成を利用して、メール中の特定の語句や用語と特定の音データとを対応づけたテーブルを用いて楽曲データを作成するようにすれば、ユーザは、語句や用語に合せた楽曲を楽しむことができ、また楽曲によってメールの内容の推測が可能となるように構成することもできる。
【００１５】
また前記作成手段による楽曲データの再生のタイミングはメール受信時であってもよい。
【００１６】
この構成によれば、ユーザはメール受信時に様々な楽曲データの再生を楽しむことができる。
【００１７】
さらに前記作成手段による楽曲データの再生のタイミングはメール開封時であってもよい。
【００１８】
この構成によれば、ユーザはメール開封時に様々な楽曲データの再生を楽しむことができる。
【発明を実施するための最良の形態】
【００１９】
以下、本発明の実施の形態について図面を用いて説明する。
（実施形態１）
図１は、実施形態１の携帯電話機の構成を示すブロック図である。
【００２０】
同図において携帯電話機１は、アンテナ１０、高周波回路と変復調回路等を含む無線部２０、音声信号の圧縮伸長や変復調、フレーム処理等を行う信号処理部３０、音声信号のデジタル−アナログ変換を行う通話処理部４０、アナログ音声信号を再生出力するスピーカ５０、外部音声を通話処理部４０に入力するマイク６０、ダイヤルキー等を含む操作部７０、ＣＰＵ８０、ディスプレイ等を含む表示部９０、メモリ１００、メロディー再生部１１０及びスピーカ１２０を備える。
【００２１】
この構成においてＣＰＵ８０は携帯電話機１の全体の制御を行って、通話やメール受信時の通信処理、操作部７０や表示部９０についてのマンマシン制御等、一般的な電話機能の制御を行い、それに加えてＣＰＵ８０は、メール受信時にはメモリ１００に記憶されているメロディー再生処理を読み出して実行する。この処理は、ＣＰＵ８０がメロディー再生部１１０等を制御することにより、メロディー再生部１１０に受信されるメール関連情報を用いてメロディーを自動的に作曲させ、メール受信時に再生させるというものである。ここでメール関連情報は、メールに含まれるデータ又はメールに付随して受信される関連情報に含まれるデータのことであり、本実施形態ではメール本文の各文字を表すＪＩＳコードのこととする。
【００２２】
メール受信時にメロディー再生処理を開始するために、ＣＰＵ８０は、基地局から信号を受信した時に、その信号がメール受信に関するものであるか、通話に関するものであるか等、基地局より伝送される信号の種類を判別する。そして判別した信号がメール受信に関する信号である場合、メロディー再生処理を開始する。
【００２３】
メロディー再生処理において、ＣＰＵ８０は、受信された信号の中からメール関連情報を抽出してメモリ１００のメール関連データ記憶部１０１に記録する。
【００２４】
続いて、ＣＰＵ８０は、メロディー再生部１１０にメロディーの作曲及び再生を実行するよう指示する。
【００２５】
ＣＰＵ８０から指示を受けると、メロディー再生部１１０は、メール関連データ記憶部１０１に記憶されているメール関連情報を用いてメロディーを自動作曲し、スピーカ１２０より再生出力する。
【００２６】
より詳しくは、メロディー再生部１１０は、データ取得部１２１、サウンドデータ作成部１２３、サウンド情報記憶部１２４、ＦＩＦＯ１２５、サウンドジェネレータ１２７及びステレオアンプ１２９を備える。
【００２７】
データ取得部１２１は、メール関連データ記憶部１０１に記憶されているメール関連情報を読み出す。
【００２８】
サウンドデータ作成部１２３は、データ取得部１２１に取得されるメール関連情報とサウンド情報記憶部１２４に記憶されるサウンド情報とを用いて楽曲データを生成しＦＩＦＯ１２５に出力する。
【００２９】
図２（ａ）にサウンド情報記憶部１２４に記憶されるサウンド情報の一内容例を示す。
【００３０】
同図（ａ）に示すようにサウンド情報記憶部１２４は、ＪＩＳコードと音データとの対応関係を示すサウンド情報を記憶する。同図（ａ）において、サウンド情報は、文字「あ」のＪＩＳコードである「２４２１」に対して、音データ「Ｃ」が割り当てられている。同様に、文字「ぁ」のＪＩＳコード「２４２２」に音データ「Ｃ♯」が割り当てられ、文字「い」のＪＩＳコード「２４２３」に音データ「Ｄ♭」が割り当てられ、文字「ぃ」のＪＩＳコード「２４２４」に音データ「Ｄ」が割り当てられ、文字「う」のＪＩＳコード「２４２５」に音データ「Ｅ♯」が割り当てられ、文字「ぅ」のＪＩＳコード「２４２６」に音データ「Ｅ♭」が割り当てられ、文字「え」のＪＩＳコード「２４２７」に音データ「Ｅ」が割り当てられている。
【００３１】
サウンドデータ作成部１２３は、図２（ａ）に示すサウンド情報を参照して、メール関連情報に含まれるＪＩＳコードを、先頭から順番に対応する音データに変換し、音データをＦＩＦＯ１２５に出力する。
【００３２】
ＦＩＦＯ１２５は、音データを保持するバッファである。
【００３３】
サウンドジェネレータ１２７は、音源を有し、ＦＩＦＯ１２５に保持されている音データを先頭から順に音声信号に変換してステレオアンプ１２９に出力する。
【００３４】
ステレオアンプ１２９は、音声信号を増幅出力してスピーカ１２０に出力する。
【００３５】
図３は、メロディー再生処理を示すフローチャートである。
【００３６】
ＣＰＵ８０は、メール受信時に、受信した信号中からメール関連情報を抽出してメール関連データ記憶部１０１に記録し、メロディー再生部１１０にメロディーの作曲及び再生を実行するよう指示する。その指示を受けたメロディー再生部１１０では、データ取得部１２１がメール関連データ記憶部１０１からメール関連情報を取得してサウンドデータ作成部１２３に出力する（ステップＳ３１０）。
【００３７】
次にサウンドデータ作成部１２３は、サウンド情報記憶部１２４のサウンド情報を参照して、メール関連情報に含まれる各ＪＩＳコードを、対応する音データに変換しＦＩＦＯ１２５に出力する（ステップＳ３２０）。
【００３８】
最後にサウンドジェネレータ１２７は、ＦＩＦＯ１２５に保持されている音データを順次に音声信号に変換してステレオアンプ１２９に出力し、ステレオアンプ１２９は、その音声信号を増幅出力してスピーカ１２０に出力する。
【００３９】
このように本実施形態の携帯電話機は、メール受信時において、メールに含まれる信号に基づいてメロディーを自動的に作曲して再生する。この構成によって本実施形態の携帯電話機１は、ユーザが着信メロディーの入力、ダウンロード、設定等を行わなくても、異なるメロディーを再生することができる。
（実施形態２）
実施形態２の携帯電話機は、メロディー再生部１１０にメロディーに関する各種設定をユーザより受け付け、その設定内容に従ってメロディー再生部１１０がメロディーの作曲及び再生を行う。具体的に各種設定の内容は、（ａ）メール受信時に得られるメール関連情報のうち、どの部分を用いて自動作曲するか、（ｂ）いつメロディーを再生するか、（ｃ）どのような音色で再生するか、等である。
【００４０】
以下、実施形態１の携帯電話機と異なる部分を中心に説明する。なお、各構成要素の名称及び符号については図１のブロック図を流用するものとする。
【００４１】
図４は、設定処理を示すフローチャートである。
【００４２】
同図において、ＣＰＵ８０は、ユーザ操作により音色設定の画面を表示させる旨の指示を受け付けると（ステップＳ４１０）、Ｃ音色設定処理を行う（ステップＳ４２０）。この処理は、ＣＰＵ８０が音色の名前のリストを表示部９０に表示し、ユーザ操作により１つの音色の選択を受け付けると、それをメロディー再生に用いる音色として、内部メモリに記憶するものである。この実施形態において音色は、「ピアノ」、「バイオリン」、「トランペット」等である。
【００４３】
次にＣＰＵ８０は、ユーザ操作により再生タイミング設定の画面を表示させる旨の指示を受け付けると（ステップＳ４３０）、再生タイミング設定処理を行う（ステップＳ４４０）。この処理は、ＣＰＵ８０が再生タイミングのリストを表示部９０に表示し、ユーザ操作により選択された再生タイミングを、メロディー再生のタイミングとして内部メモリに記憶するものである。この実施形態において再生タイミングは、「メール受信時」と「メール開封時」の２つである。
【００４４】
次にＣＰＵ８０は、ユーザ操作により作成条件設定の画面を表示させる旨の指示を受け付けると（ステップＳ４５０）、作成条件設定処理を行う（ステップＳ４６０）。この処理は、ＣＰＵ８０が作成条件のリストを表示部９０に表示し、ユーザ操作により１つの作成条件の選択を受け付けると、それをメロディー作成に用いる作成条件として、内部メモリに記憶するものである。この実施形態において作成条件は、メール受信時の日時に基づいてメロディーを作成する「日時で再生」、受信されたメールの差出人のメールアドレスに基づいてメロディーを作成する「アドレスで再生」、受信されたメールの差出人の携帯電話機の位置情報に基づいてメロディーを作成する「位置で再生」の３つである。
【００４５】
図５は、表示部９０に表示される画面の遷移を示す。
【００４６】
ＣＰＵ８０は、ユーザより所定の操作を受け付けるとメインメニューの画面５１０を表示部９０に表示する。この状態で「音設定」が選択されると、画面５２０を表示する。
【００４７】
この画面上でユーザが「メロディー選択」を選択した場合には、ＣＰＵ８０は、予め記憶しているかネットワークからダウンロードしてきたメロディーのタイトルのリストを表示し（図外）、そのリストからユーザに選択されたメロディーをメール受信時に再生するようになる。
【００４８】
一方、画面５２０上でユーザが「自動メロディー設定」を選択した場合には、ＣＰＵ８０は、自動作曲メロディーに関する各種設定の項目を示す画面５３０を表示部９０に表示する。
【００４９】
画面５３０上でユーザが「音色設定」を選択すると、ＣＰＵ８０は、画面５４０を表示する。画面５４０には「ピアノ」、「バイオリン」、「トランペット」、「音色１」及び「音色２」の５種類の音色名が表示され、ユーザによりそのうちの１つが選択されると、メロディー再生部１１０は、それ以降のメロディー再生時には、選択された音色によりメロディーを再生する。例えば、「ピアノ」が選択されている場合には、ピアノの音でメロディーを再生する。より詳しくは、サウンドジェネレータ１２７は、各種音色に対応する音源を記憶しており、作曲されたメロディーの音データを、選択された音色の音源を用いて音声信号に変換してステレオアンプ１２９に出力する。
【００５０】
画面５３０上でユーザが「再生タイミング設定」を選択すると、ＣＰＵ８０は、画面５５０を表示部９０に表示する。
【００５１】
画面５５０には、「メール受信時」に再生するか否か、「メール開封時」に再生するか否かというタイミングそれぞれについて、「ＯＮ」、「ＯＦＦ」の選択肢が表示され、ユーザにより「ＯＮ」、「ＯＦＦ」のいずれかが選択されると、メロディー再生部１１０は、「ＯＮ」に設定されたタイミングに作曲されたメロディーを再生する。画面５５０においては、「メール受信時」及び「メール開封時」の両方ともが「ＯＮ」に設定されているので、メロディー再生部１１０は、メール受信時とメール開封時の両方のタイミングでメロディーを再生する。なお、この例では、両方のタイミングが「ＯＮ」に設定されているので両方のタイミングでメロディーを再生するが、どちらか一方のみが「ＯＮ」に設定されている場合には、その「ＯＮ」に設定されているタイミングのみメロディーを再生する。またメール開封時にメロディーを再生する場合には、そのメロディーの作曲を、メール受信から開封までの間の機関に行うようにしても良い。
【００５２】
画面５３０上でユーザが「作成条件設定」を選択すると、ＣＰＵ８０は、画面５６０を表示部９０に表示する。
【００５３】
画面５６０には、「日時で再生」、「アドレスで再生」及び「位置で再生」の３つの作成条件が表示され、ユーザによりいずれか１つが選択されると、メロディー再生部１１０は、選択された作成条件に従ってメロディーを作曲する。
【００５４】
各作成条件の具体的な処理については後に述べることとする。
【００５５】
では次に、メロディー再生時の処理について説明する。
【００５６】
図６は、再生処理を示すフローチャートである。
【００５７】
同図においてＣＰＵ８０は、基地局からメールを受信すると（ステップＳ６０５）、画面５２０の「メロディー選択」と「自動メロディー設定」とのどちらが選択されているかということを内部メモリの記憶内容から判定し（ステップＳ６１０）、「メロディー選択」が選択されている場合には、メロディー再生部１１０に設定されているメロディーを読み出して再生させる（ステップＳ６１５）
一方、「自動メロディー設定」が選択されている場合には、ステップＳ６２０に処理を進め、「メール受信時」と「メール開封時」の再生が「ＯＮ」であるか「ＯＦＦ」であるかを判定する（ステップＳ６２５）。この判定の結果、「メール受信時」の再生が「ＯＦＦ」に設定されている場合には、一旦処理を終了する。なお、「メール開封時」の再生が「ＯＮ」に設定されている場合には、ＣＰＵ８０は、メールが開封されるタイミングで、ステップＳ６３０〜Ｓ６５０の処理を実行する。
【００５８】
「メール受信時」の再生が「ＯＮ」に設定されている場合には、メール受信に合わせてメロディーの作曲及び再生を行うべく、ステップＳ６３０に処理を進める。
【００５９】
ステップＳ６３０において、ＣＰＵ８０は、画面５６０の表示中に選択された作成条件を読み出し、「日時で再生」が選択されていれば（ステップＳ６３５）、ステップＳ６４０に処理を進め、「アドレスで再生」が選択されていれば（ステップＳ６５５）、ステップＳ６６０に処理を進め、それ以外の場合には「位置で再生」が選択されているのでステップＳ６６５に処理を進め、メロディー再生部１１０に作成条件に応じたメロディーの作成を行わせる。
【００６０】
「日時で再生」の場合、メロディー再生部１１０のデータ取得部１２１は、メール関連データ記憶部１０１からメールの受信日時を取得し、日時を用いて作曲を行う（ステップＳ６４０、Ｓ６４５）。
【００６１】
「アドレスで再生」の場合、メロディー再生部１１０は、メール関連データ記憶部１０１からメールアドレスを取得し、アドレスを用いて作曲を行う（ステップＳ６６０）。
【００６２】
「位置で再生」の場合、メロディー再生部１１０は、メール関連データ記憶部１０１からメールの差出人の携帯電話機の位置情報を取得し、位置情報を用いて作曲を行う（ステップＳ６６５）。
【００６３】
最後にメロディー再生部１１０は、作曲されたメロディーを再生し、再生処理を終了する（ステップＳ６５０）。
【００６４】
ここで、ステップＳ６４５，Ｓ６６０、Ｓ６６５の各作成条件の処理について説明する。
【００６５】
（日時で作成する場合）
メールの受信日時を用いて作曲を行う場合、次のような構成にしてもよい。すなわち、ＣＰＵ８０は、メール受信時に受信される信号に含まれている受信日時を取得してメール関連データ記憶部１０１に記憶させる。すると、データ取得部１２１は、メール関連データ記憶部１０１から受信日時を取得してサウンドデータ作成部１２３に出力する。ここでサウンド情報記憶部１２４は、一日の時刻をいくつかに分割した各時間帯と音データとを対応付けたサウンド情報を予め記憶している。サウンドデータ作成部１２３は、サウンド情報を参照して、取得された受信日時を対応する音データに変換に変換してＦＩＦＯ１２５へ出力する。
【００６６】
この構成によれば受信したメールの受信日時の時間帯によって異なるメロディーが再生されることとなる。これによりユーザ着信メロディーの設定、作曲、登録といった操作が一切不要となり、ユーザの操作の手間が省けるという効果がある。
【００６７】
またサウンド情報記憶部１２４は、各時間帯に対して、例えば朝の時間帯には小鳥のさえずり、昼の時間帯には快活な曲調のメロディー、夜はムード音楽となるように音楽データを割り当てたサウンド情報を予め記憶しておいてもよい。そうすれば、ユーザは時間帯に合わせた雰囲気の曲調の着信メロディーを楽しむことができる。
【００６８】
ここでサウンド情報は、一日の時刻を分割した時間帯と音データとを対応させたものであるが、一年の各月と音データとを対応させてもよい。そして各月毎に、季節に応じた曲調の音データを割り当てるようにすれば、ユーザは、各月に応じた季節感の着信メロディーを楽しむことができる。
【００６９】
サウンドデータ作成部１２３は、送信日時又は着信日時の代わりにユーザがメールを開封した時の時刻を用いて作曲を行い、再生するように構成してもよい。その場合、ユーザは、メールを確認しながら時間帯に合わせた雰囲気の曲調のメロディーを楽しむことができる。
【００７０】
ここで日時は、メールの受信日時の代わりに、メールの送信日時を用いても良い。
（アドレスで再生する場合）
差出人のメールアドレスを用いて作曲を行う場合、次のような構成にしてもよい。すなわち、ＣＰＵ８０は、メール受信時に差出人のメールアドレスを抽出してメール関連データ記憶部１０１に記憶させる。すると、データ取得部１２１は、メール関連データ記憶部１０１から差出人のメールアドレスを取得してサウンドデータ作成部１２３に出力する。サウンドデータ作成部１２３は、サウンド情報記憶部１２４のサウンド情報を用いて、差出人のメールアドレスに含まれるＪＩＳコードを音データに変換してＦＩＦＯ１２５へ出力する。
【００７１】
この構成によれば受信したメールの差出人メールアドレス毎に異なるメロディーが再生されることとなる。これによりユーザは、着信メロディーの設定、作曲、登録といった操作が一切不要となり、ユーザの操作の手間が省けるという効果がある。また、この構成においては、同じ差出人メールアドレスであれば、同じメロディーが作曲されて再生されるので、再生されるメロディーと差出人メールアドレスとの対応関係を覚えれば、ユーザはメール受信時にどの差出人メールアドレスからメールを受信したかということを、再生されるメロディーから区別することが可能となり、差出人をディスプレイで確認する手間が省けるという効果がある。
（位置で作成する場合）
メールの差出人側の携帯電話機の位置情報を用いて作曲を行う場合、次のように構成してもよい。
【００７２】
ＣＰＵ８０は、メール受信時に受信される信号に含まれている差出人側の位置情報を取得してメール関連データ記憶部１０１に記録する。データ取得部１２１は、メール関連データ記憶部１０１に記録されている位置情報を取得してサウンドデータ作成部１２３に出力する。
【００７３】
この位置情報は、携帯電話機が位置登録している基地局の識別子でもよいし、ＧＰＳ（Ｇｌｏｂａｌ  Ｐｏｓｉｔｉｏｎｉｎｇ  Ｓｙｓｔｅｍ）により特定される位置でもよいし、その他携帯電話機の位置を特定できる情報であれば何でも良い。
【００７４】
サウンドデータ作成部１２３は、データ取得部１２１から位置情報を得ると、サウンド情報記憶部１２４の記憶内容を用いて、位置情報に対応する地域情報を特定する。
【００７５】
ここでサウンド情報記憶部１２４には、位置情報と位置情報が示す地域（国、地方等）を示す地域情報とを対応づけて予め記憶されているものとする。例えば、位置情報が基地局の識別子である場合には、サウンド情報記憶部１２４は、各識別子毎に、その識別子の基地局の所在地の国名又は地域名を地域情報として記憶する。また位置情報がＧＰＳにより得られる経度及び緯度等のデータである場合には、サウンド情報記憶部１２４は、経度及び緯度が示す所在地の国名又は地域名を地域情報として記憶する。
【００７６】
サウンド情報記憶部１２４は、地域情報が特定されると、自動作曲プログラムを実行して自動作曲を行い音楽データを出力する。この自動作曲プログラムは、地域情報を入力すると、音色、和音、調、リズム等を組み合わせることにより、地域情報が示す地域に特有の音楽スタイルの音楽データを自動的に生成するもので、既存のものである。
【００７７】
例えば、サウンドデータ作成部１２３は、図２（ｃ）に示すように、地域情報が「ヨーロッパ」である場合には「ウィンナワルツ調」の音楽スタイルの音楽データを生成し、地域情報が「ロシア」である場合には「ロシア民謡調」の音楽スタイルの音楽データを生成し、地域情報が「中米」である場合には「サルサ調」の音楽スタイルの音楽データを生成し、地域情報が「南米」である場合には「サンバ調」の音楽スタイルの音楽データを生成し、地域情報が「ハワイ」である場合には「ハワイアン」の音楽スタイルの音楽データを生成する。この生成方法は、既存の方法であるが、例えば、サウンドデータ作成部１２３が、各音楽スタイルに特有の音色、和音、調、リズム等の情報を予め記憶しており、この情報を用いて音色、和音、調、リズム等を組み合わせることにより、各音楽スタイルの音楽データを作成する。
【００７８】
このような構成により、例えば海外の携帯電話機からのメールを受信した場合に、携帯電話機１は、その差出人側の携帯電話機の所在地域に合せた音楽スタイルの着信メロディーを再生するので、ユーザが着信メロディーの入力や切り替え等の煩雑な操作を行わなくても、ユーザは様々な音楽スタイルの着信メロディーを楽しむことができ、またユーザは差出人の所在地を着信メロディーで推測することができる。
【００７９】
なお、差出人側の携帯電話機の位置情報を用いているが、受信側の携帯電話機１の位置情報を用いてもよい。この場合ユーザは、ユーザの所在地域に合せた音楽スタイルの着信メロディーを楽しむことができるという効果がある。
【００８０】
以上、本発明の実施形態について説明したが、本発明は上記実施形態に限られず、以下のようにしてもよい。
（１）サウンドデータ作成部１２３は、ＪＩＳコードと音データとを対応させたサウンド情報を参照して、メール本文のＪＩＳコードを音データに変換することにより自動作曲を行っているが、これに限らず他の方法で自動作曲を行ってもよい。
【００８１】
例えば、作曲のために用いるデータはメール本文に限らず、差出人のメールアドレス、メールの送信日時、メールの受信日時、メールの開封日時、メールの件名、メール送信時における差出人側の携帯電話機の位置情報、メール受信時の携帯電話機１の位置情報等、メールに含まれるデータ又はメールに付随して受信される関連情報に含まれるデータを用いてもよい。
（２）また、本実施形態の音データに基づいて再生される音は、どのような音色でもよく、例えば、ピアノやバイオリン、トランペットの他、打楽器等の楽器の音でもよいし、複数の音を同時に発生してもよいし、鳥のさえずり、動物の鳴き声、虫の声等であってもよい。
（３）サウンドデータ作成部１２３は、メール本文のＪＩＳコードを音データに変換して作曲を行う代わりに、メール本文に含まれている日本語の内容に応じて作曲を行うよう構成してもよい。
【００８２】
具体例を挙げると、サウンド情報記憶部１２４は、図２（ｂ）に示すサウンド情報を予め記憶する。同図（ｂ）においてサウンド情報は、いくつかの語句のグループとコードの種類とが対応している。具体的に、「楽しい」、「うれしい」、「面白い」、「幸せ」、「ありがとう」といったプラスイメージの語句のグループにメジャーコードを割り当て、「つらい」、「悲しい」、「楽しくない」、「困る」、「大変」といったマイナスイメージの語句のグループにマイナーコードを割り当てている。そしてサウンドデータ作成部１２３は、データ取得部１２１からメール本文のデータを得ると、本文中の文字列の中からサウンド情報の語句と一致する文字列を検索する。そして語句が検索されると、その語句に対応するメジャーコード又はマイナーコードの和音のデータを音データとしてＦＩＦＯ１２５に出力する。ここでサウンドデータ作成部１２３は、複数あるメジャーコード及びマイナーコードの和音の中からいずれかを選択して出力する。
【００８３】
この構成により、メール本文にプラスイメージの語句が含まれている場合には、メジャーコードの和音が再生され、マイナスイメージの語句が含まれている場合にはマイナーコードの和音が再生されるので、ユーザは、メールを開封しなくても、再生される和音から、メールの内容がプラスイメージの語句を含むものであるか、マイナスイメージの語句を含むものであるかを知ることができる。
【００８４】
また、プラスイメージ及びマイナスイメージの両方のグループの語句がメール本文に含まれている場合には、各グループ毎の語句の数を計上し、多い方のグループに対応するコードの和音を再生するようにしてもよい。具体的には、メール本文に「楽しい」、「うれしい」、「面白い」及び「困る」の４つが含まれている場合、プラスイメージのグループの語句が３つ、マイナスイメージの語句が１つなので、サウンドデータ作成部１２３は、数の多いプラスイメージのグループに対応するメジャーコードの和音のデータを出力する。
【００８５】
あるいは、サウンドデータ作成部１２３は、検索された語句それぞれに対応して、メジャーコード又はマイナーコードの和音のデータそれぞれを出力するようにしてもよい。先の例では、メジャーコードの和音データを３つ出力し、マイナーコードの和音データを１つ出力することになる。そしてＦＩＦＯ１２５をしてそれらの和音データを取得したサウンドジェネレータ１２７は、各和音データを所定時間ずつ順番に再生する。
（４）ＦＩＦＯ１２５に保持される音楽データを、他のメモリに転送して保存し、その音楽データを繰り返し利用できるようにしてもよい。
【産業上の利用可能性】
【００８６】
携帯電話機、ＰＤＡ、ＰＨＳ等の情報端末の着信音を再生する機能に用いることができる。
【図面の簡単な説明】
【００８７】
【図１】本実施の形態の携帯電話機の構成を示すブロック図である。
【図２】（ａ）は、サウンド情報記憶部１２４に記憶されるサウンド情報の一内容例であり、ＪＩＳコードと音データとの対応関係を示す。
【００８８】
（ｂ）は、サウンド情報記憶部１２４に記憶されるサウンド情報の一内容例であり、いくつかの語句のグループとコードの種類との対応関係を示す。
【００８９】
（ｃ）は、サウンド情報記憶部１２４に記憶されるサウンド情報の一内容例であり、発信地の地域と音楽スタイルとの対応関係を示す。
【図３】メロディー再生処理を示すフローチャートである。
【図４】設定処理を示すフローチャートである。
【図５】表示部９０に表示される画面の遷移を示す。
【図６】再生処理を示すフローチャートである。
【符号の説明】
【００９０】
１０    アンテナ
２０    無線部
３０    信号処理部
４０    通話処理部
５０    スピーカ
６０    マイク
７０    操作部
８０    ＣＰＵ
９０    表示部
１００    メモリ
１０１    メール関連データ記憶部
１１０    メロディー再生部
１２０    スピーカ
１２１    データ取得部
１２３    サウンドデータ作成部
１２４    サウンド情報記憶部
１２５    ＦＩＦＯ
１２７    サウンドジェネレータ
１２９    ステレオアンプ
【図１】
2005065073.tif 000003
【図２】
2005065073.tif 000004
【図３】
2005065073.tif 000005
【図４】
2005065073.tif 000006
【図５】
2005065073.tif 000007
【図６】
2005065073.tif 000008